【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
燃料集合体グループのグラフィック表示を形成する方法であって、
コンピュータインターフェースにより原子炉炉心のグラフィック表示を選択する段階と、
前記コンピュータインターフェースにより、前記原子炉炉心のグラフィック表示を用いて装荷マップを生成する段階と、
前記装荷マップに対して、下記の（ａ）段階と（ｂ）段階：
（ａ）前記コンピュータインターフェースを用いてユーザにより、前記装荷マップ内で少なくとも１つの燃料集合体（７２０、７２２）を、ユーザ選択の対称性（７１０）とユーザ選択の燃料集合体特性とに基づいて、複数の集合体グループ（７２４）の１つに割当てる段階、
（ｂ）前記コンピュータインターフェース上でコンピュータ処理により、前記装荷マップ内の少なくとも１つの燃料集合体を、ユーザ選択の対称性とユーザ選択の燃料集合体特性とに基づいて、前記複数の燃料集合体グループの内の１つのグループ内に割り当てる段階、
とのうち少なくとも１つを実行することにより、グループ化操作を実行する段階と、
を具備することを特徴とするグラフィック表示形成方法。
【請求項２】
前記関連した燃料集合体特性とは、新しい燃料集合体、最挿入された燃料集合体、固定の燃料集合体のいずれかの燃料集合体のタイプ（７０９）を表すことを特徴とする請求項１記載の方法。
【請求項３】
前記複数の集合体グループの各々は、関連付けられた対称性（７１０）を有することを特徴とする請求項１記載の方法。
【請求項４】
前記関連付けられた対称性とは、回転対称または鏡面対称であることを特徴とする請求項３記載の方法。
【請求項５】
前記関連付けられた対称性は、炉心の一部の燃料集合体に基づいていることを特徴とする請求項３記載の方法。
【請求項６】
評価に際しての制約条件として燃料集合体グループを用いる燃料集合体実装評価方法であって、
複数の燃料集合体グループ（７２４）を今回の装荷マップ内に作成する段階と、
次回の運転サイクルにおいて実現可能な炉心装荷を確立するために、第１の複数の提案装荷マップを生成する段階と、
前記複数の提案装荷マップをユーザ選択の対称性とユーザ選択の燃料集合体特性とに基づくフィルタリングを行って、前記ユーザ選択の対称性と前記ユーザ選択の燃料集合体特性とをを満足させる第２の複数の提案装荷マップを作成する段階と、
目的関数を構成して前記第２の複数の提案装荷マップを評価する段階と、
前記目的関数で前記第２の複数の提案装荷マップから１つの装荷マップを選択する段階と、
含むことを特徴とする実装評価方法。
【請求項７】
前記フィルタリングは、前記今回の装荷マップと前記第２の複数の提案装荷マップの各々との間での各燃料集合体の移動を、前記ユーザ選択対称性と前記ユーザ選択燃料集合体特性を満足する同一グループの範囲内の燃料集合体（７２０、７２２）間での交換に制限することを含むことを特徴とする請求項６記載の方法。
【請求項８】
前記対称性の領域は八分円または四分円又は二分円であることを特徴とする請求項６の方法
【請求項９】
燃料集合体グループの装荷マップ内でのグラフィック表示を編集するグラフィック表示編集方法であって、
コンピュータインターフェースを用いて、装荷マップ内で、既存の複数の集合体グループ（７２４）の１つを選択する段階と、
前記選択した集合体グループに対してグループ化操作を実行する段階と、
を含むグラフィック表示編集方法であって、
前記グループ化操作は、以下の（ａ）段階と（ｂ）段階と（ｃ）段階：
（ａ）コンピュータインターフェースを用いてユーザにより、前記選択された燃料集合体グループ内で少なくとも一つの燃料集合体の修正を行う段階であって、この修正段階のスタート時点若しくは終了時点でユーザ選択の対称性とユーザ選択の燃料集合体特性に基づいてユーザによりこの修正を行う段階、
（ｂ）前記コンピュータインターフェース上でコンピュータ処理により、前記選択された燃料集合体グループ内の少なくとも１つの燃料集合体を、ユーザ選択の対称性とユーザ選択の燃料集合体特性とに基づいて、前記複数の燃料集合体グループの内の１つのグループ内に割り当てる段階、
とのうち少なくとも１つを実行することを特徴とするグラフィック表示編集方法。
【請求項１０】
前記修正操作が、少なくとも１つの燃料集合体を前記選択した燃料集合体グループから除去する段階を含むことを特徴とする請求項９記載の方法。
【請求項１１】
前記複数の集合体グループの各々が、関連した対称性（７１０）を含むことを特徴とする請求項６又は請求項９記載の方法。
【手続補正２】
【補正対象書類名】明細書
【補正対象項目名】０００５
【補正方法】変更
【補正の内容】
【０００５】
炉心設計の一環として、炉心設計者はまた、制御ブレード位置、炉心流量等のような別の炉心運転パラメータも決定する。これらの運転制御パラメータが特定されると、次に原子力規制委員会（ＮＲＣ）承認のシミュレーションプログラムが、初期炉心設計に対して実行される。シミュレーション結果に基づいて、炉心設計者は、経験及び経験則を使用して設計での認識された問題を修正する、すなわち通常は、特に線質係数に対する限界に関して設計を改善する。これらの変更には、装荷マップを変更することを含むことができる。このプロセスは、炉心設計者が設計に満足するまで繰り返される。
特許文献１  日本公開特許２００４１１０８３３Ａ２２００４年４月
特許文献２  日本公開特許０９３０４５７０Ａ２１９９７年１１月
特許文献３  日本公開特許２００４２５８０３７Ａ２号  ２００４年９月発行
特許文献４  日本公開特許２００５０１０１４０Ａ２号  ２００５年１月発行
特許文献５  日本公開特許２００５１１４７２８Ａ２号  ２００５年４月発行
特許文献６  米国公開特許２００４−５９５４９号  ２００４年３月発行
特許文献７  米国特許第５０９３０７０号  １９９２年３月発行
特許文献８  米国特許第５２７２７３６号  １９９３年１２月発行
特許文献９  米国特許第５６３１９３９号  １９９７年５月発行
特許文献１０  米国特許第５６３６３２８号  １９９７年６月発行
特許文献１１  米国特許第５８５９８８５号  １９９９年１月発行
特許文献１２  米国特許第５９２３７１７号  １９９９年７月発行
特許文献１３  米国特許第６０３１９８４号  ２０００年２月発行
特許文献１４  米国特許第６２５９７５６号  ２００１年７月発行
特許文献１５  米国特許第６４０４４３７号  ２００２年６月発行
特許文献１６  米国特許第６７４８３４８号  ２００４年６月発行
特許文献１７  米国特許第６８６２３２９号  ２００５年３月発行
特許文献１８  米国特許第６９３１０９０号  ２００５年８月発行
特許文献１９  米国特許第６９３４３５０号  ２００５年８月発行
特許文献２０  米国特許第７２００５４１号  ２００７年４月発行
特許文献２１  米国公開特許２００４００５９５４９号  ２００４年３月発行
特許文献２２  米国公開特許２００４０１２２６２９号  ２００４年６月発行
特許文献２３  米国公開特許２００４０１２２６３２号  ２００４年６月発行
特許文献２４  米国公開特許２００４０１５１２７４号  ２００４年８月発行
特許文献２５  米国公開特許２００４０２２０７８７号  ２００４年１１月発行
特許文献２６  米国公開特許２００４０２４３３７０号  ２００４年１２月発行
特許文献２７  米国公開特許２００５００１５２２７号  ２００５年１月発行
特許文献２８  米国公開特許２００５００８６０３６号  ２００５年４月発行
特許文献２９  米国公開特許２００５００８９８３１号  ２００５年４月発行
特許文献３０  米国公開特許２００５０２２２８３３号  ２００５年１月発行
【手続補正３】
【補正対象書類名】明細書
【補正対象項目名】００７４
【補正方法】変更
【補正の内容】
【００７４】
ステップＳ６１０において、炉心設計者は、現存の集合体グループ（又は、集合体グループに属する個々の燃料集合体）に対してグループ化操作を実行するか或いは新しい集合体グループに対してグループ化操作を実行するかを選択し、もしもユーザが現存する燃料集合体グループに対してグループ化を行うことを選択するのであれば、次にステップＳ６１３において、炉心設計者は、グループ化操作の実行対象となる集合体グループを選択する。炉心設計者は、選択した集合体グループに属する燃料集合体を左クリックする。再度図７を参照すると、燃料集合体７２０は、炉心設計者が集合体グループを指定するようにクリックすることができる使用可能な燃料集合体のサンプルを表す。燃料集合体７２２は、炉心設計者によって選択された集合体グループに属する燃料集合体を表す。図示するように、選択した燃料集合体７２２は、強調表示され、その各々は同一のグループ（すなわち、グループ「１」）に属する。グループ「１」のグループ番号は、グループ指定番号７２４によって表示される。グループ指定番号の割当ては、後ほど説明する。従って、グループ「１」はアクティブ状態に設定されており、このアクティブ状態とは、炉心設計者が別のグループをアクティブ状態に設定するまでグループ化操作がグループ「１」に作用することになることを意味する。